(57)【要約】【課題】混練されたスランプの小さいコンクリートを効率良く吹き付けることのできるローター式コンクリート吹付機を提供する。【解決手段】上面から下面へ貫通させた多数のチャンバー（分配室）１ａ，…を配設してなるローター１を回転させながらコンクリートＰを投入して前記チャンバーに流入させ、コンクリート投入口とは別の位置の継手１２からエアー圧をかけてチャンバーに流入したコンクリートＰを下方へ吐出させるローター式のコンクリート吹付機において、ローター１の上面にジョイントプレート２を介して開閉蓋３を設け、該開閉蓋に浅底のホッパー４を設けると共に、ジョイントプレート２にチャンバー１ａ，…への流入穴２ａを穿設して、撹拌棒６の撹拌羽根５，５をジョイントプレート２の上面に近接させて、撹拌棒６を回転させるようにしたローター式コンクリート吹付機。【選択図】図２
0003105784.tif 000002
【実用新案登録請求の範囲】
【請求項１】
上面から下面へ貫通させた多数のチャンバーを配設してなるローターを回転させながらコンクリートを投入してチャンバーに流入させ、投入口とは別の位置で上方からエアー圧をかけてチャンバーに流入したコンクリートを下方へ吐出させるローター式のコンクリート吹付機において、ローターの上面にジョイントプレートを介して開閉蓋を設け、該開閉蓋に浅底のホッパーを設けると共に、ジョイントプレートにチャンバーへの流入穴を穿設して、撹拌棒の撹拌羽根をジョイントプレートの上面に近接させて回転させるように構成されてなることを特徴とするローター式コンクリート吹付機。
【請求項２】
前記撹拌羽根が、板状の撹拌羽根であって、撹拌羽根の下端面がジョイントプレートの上面に近接するように水平に延出させて設けられてなることを特徴とする請求項１記載のローター式コンクリート吹付機。
【考案の詳細な説明】
【技術分野】
【０００１】
本考案は、混練されたスランプの小さいコンクリートが効率良く吹き付けられるようにしたローター式コンクリート吹付機に関するものである。
【背景技術】
【０００２】
コンクリートミキサー等で混練されたスランプ（混練されたコンクリートの硬さを表す文言で、スランプが大きくなるにつれて軟くなる）の大きいコンクリート混練物を吹き付ける機械としてローター式のコンクリート吹付機が一般的に使用されており、該コンクリート吹付機は、混練されたコンクリートをローターの周上より貫通させて配設された多数のチャンバー（分配室）に流入させると共にローターを回転させ、ホッパーからの流入口とは別の位置で圧縮空気を送り込むことにより、チャンバーに流入したコンクリートを吐出させて吹き付けるようになっている。（例えば、特許文献１の図１，図２、及び特許文献２の図１，図２参照）
【特許文献１】特開平９−２１７５９３号公報
【特許文献２】実開平５−１０６４６号公報
【０００３】
又、ローターの上方部にホッパーを設け、該ホッパー内に、駆動回動されるアジテーターを配置してなるコンクリート吹付機の供給装置が開示されている。（例えば特許文献３の第１図）
【特許文献３】特開昭６２−７２８６３号公報
【考案の開示】
【考案が解決しようとする課題】
【０００４】
しかしながら、上記特許文献１、及び特許文献２に記載されるコンクリート吹付機は、ホッパーに投入されたコンクリートを自然流下により、回転するローターの多数のチャンバーに連続的に流し込むため、ミルク状に混練されたスランプの大きいコンクリートの場合はスムーズに流入するが、スランプの小さいコンクリート混練物の場合はスムーズに流入しない難点があり、ホッパーに投入されたコンクリートにバイブレータをかけてもスランプの小さいコンクリート混練物になると回転するローターの僅かなタイミングで開口するチャンバーに満足し得る流入が図れない問題点があり、特許文献３に記載されるコンクリート吹付機の供給装置は、回転方向に対し上部が前方となるように傾斜した翼を設けたことを特徴としており、然も傾斜した翼を有するアジテーターを縦に複数配置するとなるとホッパーの高さが高くなり、混練されたコンクリートを高所に上げて投入しなければならない問題点があると共に、アジテーターはホッパーの下部近くに配置されてはいるが、ホッパーを載置した支持プレートの上方にあり、該支持プレートを介してジョイントプレートからローターの分配室へ流し込むようになっているため、スランプの小さいコンクリート混練物の場合、支持プレートの開口部に詰まってスムーズに流入しないおそれがある。
【課題を解決するための手段】
【０００５】
本考案は、上記問題点に鑑みてなされたもので、回転するローターの多数のチャンバーに、スランプの小さいコンクリート混練物でもスムーズに流し込めるようにして、混練されたスランプの小さいコンクリートが効率良く吹き付けられるようにすると共に、ホッパーの高さを低くして、混練されたコンクリートを高所に上げないで投入できるようにしたローター式コンクリート吹付機を提供するものである。
すなわち、その解決するための手段は、
（１）上面から下面へ貫通させた多数のチャンバーを配設してなるローターを回転させながらコンクリートを投入してチャンバーに流入させ、投入口とは別の位置で上方からエアー圧をかけてチャンバーに流入したコンクリートを下方へ吐出させるローター式のコンクリート吹付機において、ローターの上面にジョイントプレートを介して開閉蓋を設け、該開閉蓋に浅底のホッパーを設けると共に、ジョイントプレートにチャンバーへの流入穴を穿設して、撹拌棒の撹拌羽根をジョイントプレートの上面に近接させて回転させるように構成されてなることを特徴とするローター式コンクリート吹付機である。
（２）前記撹拌羽根が、板状の撹拌羽根であって、撹拌羽根の下端面がジョイントプレートの上面に近接するように水平に延出させて設けられてなることを特徴とする前項（１）記載のローター式コンクリート吹付機である。
【考案の効果】
【０００６】
上記手段を講ずることにより、混練されたスランプの小さいコンクリートを、ローターを回転させながらローターに配設された多数のチャンバーに連続的にスムーズに流入させることが可能となると共に、ホッパーの高さを低くできて混練されたコンクリートを高所に上げないで投入することが可能となり、スランプの小さいコンクリートを効率良く吹き付けられる効果が得られた。
【考案を実施するための最良の形態】
【０００７】
本考案を実施するための最良の形態は、上面から下面へ貫通させた多数のチャンバー（分配室）を配設してなるローターを回転させながらコンクリートを投入して前記チャンバーに流入させ、コンクリート投入口とは別の位置で上方からエアー圧をかけてチャンバーに流入したコンクリートを下方へ吐出させるローター式のコンクリート吹付機において、ローターの上方部のコンクリート投入位置にホッパーを設け、下端部に板状の撹拌羽根を設けて立設された撹拌棒を回転させてホッパー内で投入されたコンクリートを撹拌しながらローター上面に当接したジョイントプレートの流入穴から、回転するローターのチャンバーに連続的に強制流入させるようにしたものであり、以下実施例を示す図面に基づいて説明する。
【実施例１】
【０００８】
図１は本考案に係るローター式コンクリート吹付機の実施例を示す側断面図であり、図２はホッパーに投入されたコンクリートをローターのチャンバーに流入させて吐出させる状態を示す要部断面図である。
【０００９】
本考案に係るローター式コンクリート吹付機は、図１に示すように、ローター１の周上に、上面から下面へ貫通された８〜１０箇所の多数のチャンバー（分配室）１ａ，…が配設され、ローター１の上面にはジョイントプレート２を介して開閉蓋３が被せてあり、開閉蓋３に浅底のホッパー４を設けると共に、ジョイントプレート２にチャンバー１ａ，…への流入穴２ａを穿設して、下端部に撹拌羽根５，５を設けた撹拌棒６を回転させるようにしてある。撹拌羽根５は板状の撹拌羽根で、下端面がジョイントプレート２の上面に近接するように延出させて設けられている。
【００１０】
前記撹拌棒６は、該撹拌棒の上端部を取付け固定した取付軸７をモーター８の回転軸に取付け固定された駆動プーリー９と、取付軸７に取付け固定された従動プーリー１０とをベルト１１で繋いでモーター８の回転駆動により回転させるようにしてあり、撹拌棒６の回転により撹拌羽根５，５が回転してホッパー４内に投入したコンクリートを撹拌しながら流入穴２ａよりローター１に配設されたチャンバー１ａ，…に強制的に流入させるようにしてある。
【００１１】
又、前記開閉蓋３には、コンクリート投入口とは別の位置で、ローター１のチャンバー１ａ，…にエアー圧をかけるための継手１２を設けて、該継手よりホース１３が延出されてコンプレッサー等のエアー源（図示せず）へ導かれ、該エアー源からのエアー圧が継手１２の下方部に位置したチャンバー１ａにかかるようにして、該チャンバーに流入したコンクリートを機体のベース板１４の下方部に設けた継手１５へ吐出させ、バルブ１６を介してホース１７へ導き、ホース１７の先端部に取付けられた噴射ノズル（図示せず）より噴射させて吹き付けられるようにしてある。
【００１２】
前記ローター１の下面は、機体のベース板１４の上面にジョイントプレート２Ａを介して突き出た駆動軸１８の上端部１８ａが着脱可能に角嵌合されて、駆動軸１８の回転によりローター１が回転するようにしてあり、駆動軸１８の回転は、モーター１９の回転駆動を、無段変速機２０を介して機体１４の下方部に設けられたギャボックス２１内の歯車２２に伝達し、歯車２２ａ，２２ｂ，…２２ｇの噛み合わせにより減速されて回転軸１８は低速で回転すると共に、無段変速機２０の変速用ハンドル２０ａを回すことにより回転速度の調節が行えるようにしてある。
【００１３】
以上のようにしてなるローター式コンクリート吹付機により、混練されたコンクリートを投入し、吐出させて吹き付けるについて図２にて詳細に説明すると、ローター１は、上面と下面にロータープレート１Ａ，１Ｂを付着させて、開閉蓋３の下面に付着させて設けられたジョイントプレート２Ａと、機体のベース板１４の上面に付着させて設けられたジョイントプレート２Ａの間に当接面がシールされた状態で駆動軸１８の回転により回転するようにしてある。
【００１４】
ロータープレート１Ａ，１Ｂには、ローター１に配設された多数のチャンバー１ａ，…に符合させて穴が穿設され、ロータープレート１Ａに当接するジョイントプレート２には流入穴２ａが穿設されて、開閉蓋３にホッパー４が設けられており、下端部に撹拌羽根５，５を設けた撹拌棒６を回転させることにより、ホッパー４に投入されたコンクリートＰはジョイントプレート２の上面に近接して回転する撹拌羽根５，５で撹拌されて流入穴２ａより回転するローター１のチャンバー１ａ，…に連続的に流入する。撹拌棒６の下端部は回転振れしないようにジョイントプレート２の上面に凸設された軸受部２ｃで支持されている。
【００１５】
ローター１のチャンバー１ａ，…に流入したコンクリートＰは、コンクリートの投入口であるホッパー４とは別の位置（ローターの中心に対して反対位置）に設けられた継手１２よりジョイントプレート２の通気孔２ｂ，…を経てチャンバー１ａにエアー圧がかかるようにしてあり、ローター１が回転してコンクリートＰの流入したチャンバー１ａ，…が前記通気孔２ｂ，…の位置にきた時にチャンバー１ａにエアー圧がかかって、チャンバー内に流入したコンクリートＰは、ローター１の下面に当接したジョイントプレート２Ａの吐出穴２ｄを経て、機体のベース板１４の下方部に設けられた継手１５へ吐出され、バルブ１６を介してホース１７へ導かれる。
【００１６】
開閉蓋３は、一端が軸２３で回動可能に支持されて、外周部の複数箇所に等配されたＵ字切欠部３ａ，…に支持ボルト２４，…を起して挿入し、間座２４ａ，…を介してナット２４ｂ，…を螺合させることにより支持され、ロータープレート１Ａ，１Ｂがジョイントプレート２の下面と、ジョイントプレート２Ａの上面との間に当接面がシールされるようにして気密が保持された状態でロータープレート１Ａ，１Ｂを付着したローター１が回転するようにしてあり、ナット２４ｂ，…を緩めて支持ボルト２４，…を外側へ倒すことにより、支持ボルト２４，…が開閉蓋３の外周部に等配されたＵ字切欠部３ａ，…から外れて、開閉蓋３は開閉可能となるが、この場合、撹拌棒６は取付軸７より取り外しておく必要がある。
【００１７】
ロータープレート１Ａ，１Ｂはローター１の上面と下面に、ジョイントプレート２は開閉蓋３の下面に、ジョイントプレート２Ａは機体のベース板１４の上面にそれぞれ位置決めされて着脱可能に付着されており、当接面が傷付いたり、摩耗した時は、開閉蓋３を開けて取り外せるようにしてあり、取り外して再研摩することにより、当接面の気密性が高まり、摩擦抵抗も小さくなる。
【００１８】
又、前記ロータープレート１Ａ，１Ｂ及びジョイントプレート２，２Ａは、当接面の気密性を保った状態で回転摺動することから、摺動性や耐摩耗性の良好な硬質性のゴムや弾力性のある合成樹脂等が使用されており、当接面の摺動摩擦や摩耗を防止すべく、給油ポンプから当接面へ間欠的に給油する手段も講じられている。
【産業上の利用可能性】
【００１９】
ローターに配設されたチャンバーの容量を定め、配設されたチャンバーの割出し角度で間欠回転させながら吐出させるようにすれば、各種混練物の定量吐出機としても利用の可能性がある。
【図面の簡単な説明】
【００２０】
【図１】本考案に係るローター式コンクリート吹付機の実施例を示す側断面図である。
【図２】コンクリートを投入して吐出させる状態を示す要部断面図である。
【符号の説明】
【００２１】
１  ローター
１Ａ，１Ｂ  ロータープレート
１ａ  チャンバー
２，２Ａ  ジョイントプレート
２ａ  流入穴
２ｂ  通気孔
２ｃ  軸受部
２ｄ  吐出穴
３  開閉蓋
３ａ  Ｕ字切欠部
４  ホッパー
５  撹拌羽根
６  撹拌棒
７  取付軸
８，１９  モーター
９  駆動プーリー
１０  従動プーリー
１１  ベルト
１２，１５  継手
１３，１７  ホース
１４  ベース板
１６  バルブ
１８  駆動軸
１８ａ  上端部
２０  無段変速機
２０ａ  ハンドル
２１  ギャボックス
２２，２２ａ，２２ｂ，２２ｃ，…２２ｇ  歯車
２３  軸
２４  支持ボルト
２４ａ  間座
２４ｂ  ナット
Ｐ  コンクリート
【図１】
0003105784.tif 000003
【図２】
0003105784.tif 000004